(57)【特許請求の範囲】
【請求項１】
コンプレッサに隣接して配置されると共に前記コンプレッサに対向する面にカバーが取り付けられた熱交換器と、
前記熱交換器のカバーと前記コンプレッサとの間に上下方向に出し入れ可能に配置される熱交換器用ファンと、
前記熱交換器のカバーに設けられると共に上向きに形成され、前記熱交換器のカバーと前記コンプレッサとの間に挿入された前記熱交換器用ファンに係合することによりこの熱交換器用ファンを前記熱交換器のカバー上に支持する爪と、
前記爪により支持された前記熱交換器用ファンを前記熱交換器のカバーに着脱可能に固定するネジとを備え、前記熱交換器用ファン及び前記熱交換器のカバーはそれぞれ前記ネジにより貫通される取り付け穴及びネジ穴を有し、前記爪は、前記熱交換器用ファンをこの爪に係合すると前記熱交換器用ファンの取り付け穴と前記熱交換器のカバーのネジ穴とが位置決めされるように前記熱交換器用ファンの形状に合った形状を有することを特徴とする熱交換装置。
【請求項２】
前記ネジは、前記コンプレッサよりも上方の位置で前記熱交換器用ファンの取り付け穴及び前記熱交換器のカバーのネジ穴を貫通して前記熱交換器用ファンを前記熱交換器のカバーに固定することを特徴とする請求項１に記載の熱交換装置。
【発明の詳細な説明】
【０００１】
【発明の属する技術分野】
この発明は、熱交換装置に係り、特に熱交換器とこの熱交換器の近傍に取り付けられる熱交換器用ファンとを備えた熱交換装置に関する。
【０００２】
【従来の技術】
従来より熱交換装置を備えた装置として冷蔵ショーケースがある。図４にこのような冷蔵ショーケース１の全体図を示す。冷蔵ショーケース１には、ケース１の左右方向に隣接する展示スペース２及び機械室３が設けられている。展示スペース２には食材が冷蔵保存されながら展示される一方、機械室３には、熱交換装置を構成するものとして、展示スペース２を冷却するための冷凍回路構成部品等が収納されている。展示スペース２の前面から上半面にかけて透明なガラス板４が嵌め込まれており、冷蔵ショーケース１の前側、即ち、客側からガラス板４を通して収納された食材が見えるようになっている。また、展示スペース２の後面には透明なスライドガラス５が設けられており、冷蔵ショーケース１の後側、即ち、店員側からスライドガラス５を通して収納された食材が見えると共に、このスライドガラス５を開けて展示スペース２内の食材の出し入れを行うことができるように構成されている。
【０００３】
【発明が解決しようとする課題】
ところで、このような構成の冷蔵ショーケース１においては、機械室３内に、熱交換装置を構成するものとして、図示しないコンプレッサ、コンデンサ及び凝縮ファン等が収容されているが、メンテナンス作業の都合上、凝縮ファンは着脱が容易であると便利であった。よって、従来より着脱容易な凝縮ファンを備えた熱交換装置が望まれていた。
すなわち、この発明は、このような要望に鑑みてなされたもので、着脱容易な熱交換器用ファンを備えた熱交換装置を提供することを目的とする。
【０００４】
【課題を解決するための手段】
この発明に係る熱交換装置は、コンプレッサに隣接して配置されると共にコンプレッサに対向する面にカバーが取り付けられた熱交換器と、熱交換器のカバーとコンプレッサとの間に上下方向に出し入れ可能に配置される熱交換器用ファンと、熱交換器のカバーに設けられると共に上向きに形成され、熱交換器のカバーとコンプレッサとの間に挿入された熱交換器用ファンに係合することによりこの熱交換器用ファンを熱交換器のカバー上に支持する爪と、爪により支持された熱交換器用ファンを熱交換器のカバーに着脱可能に固定するネジとを備え、熱交換器用ファン及び熱交換器のカバーはそれぞれネジにより貫通される取り付け穴及びネジ穴を有し、爪は、熱交換器用ファンをこの爪に係合すると熱交換器用ファンの取り付け穴と熱交換器のカバーのネジ穴とが位置決めされるように熱交換器用ファンの形状に合った形状を有することを特徴とする。
ネジは、コンプレッサよりも上方の位置で熱交換器用ファンの取り付け穴及び熱交換器のカバーのネジ穴を貫通して熱交換器用ファンを熱交換器のカバーに固定してもよい。
【０００５】
【発明の実施の形態】
以下、この発明の実施の形態を添付図面に基づいて説明する。
図１に、本発明の実施の形態に係る熱交換装置を適用した冷蔵ショーケース１１の全体構造を示す。冷蔵ショーケース１１には、ケース１１の左右方向に隣接した展示スペース１２及び機械室１３が設けられている。展示スペース１２には食材が冷蔵・展示される一方、機械室１３には展示スペース１２を冷却するための冷凍回路構成部品等が収納されている。展示スペース１２の前面から上半面にかけて透明なガラス板１４が嵌め込まれており、冷蔵ショーケース１１の前側、即ち、客側からガラス板１４を通して収納された食材が見えるようになっている。また、展示スペース１２の後面には透明なスライドガラス１５が設けられており、冷蔵ショーケース１１の後側、即ち、店員側からスライドガラス１５を通して収納された食材が見えると共に、このスライドガラス１５を開けて展示スペース１２内の食材の出し入れを行うことができるように構成されている。
また、機械室１３の右側面１３ｃには機械室１３内から空気を排気するための排気口２０が設けられている。この右側面１３ｃには段差Ｓが設けられており、これにより排気口２０が側面１３ｃの最外側部１３ｄよりも機械室１３の一段内側に位置するような構造となっている。また、機械室１３の後面１３ｂには、機械室１３内に空気を吸気するための吸気口２１（図２参照）が設けられている。
【０００６】
図２（ａ）〜（ｃ）に示されるように、機械室１３内には展示スペース１２を冷却するための冷凍回路構成部品として、機械室１３の前面１３ａ側にコンプレッサ１６、機械室１３の後面１３ｂ側に熱交換器であるコンデンサ１７が並べて配置されており、これらコンプレッサ１６及びコンデンサ１７に挟まれるように、熱交換器用ファンである凝縮ファン１８が着脱可能に設けられている。すなわち、コンプレッサ１６、凝縮ファン１８及びコンデンサ１７は機械室１３の前後方向に並べられている。コンデンサ１７の幅はコンプレッサ１６の幅と同程度となっており、凝縮ファン１８の幅はコンプレッサ１６の幅以下となっている。また、コンデンサ１７の下方には、漏電ブレーカ等の部品を収納する電装箱１９が配置されている。
実線矢印で示されるように、凝縮ファン１８により機械室１３の後面１３ｂに設けられた吸気口２１から吸引された空気は、コンデンサ１７及びコンプレッサ１６の熱を吸収し、破線矢印で示されるように、機械室１３の右側面１３ｃに設けられた排気口２０から排出される構造となっている。
【０００７】
図３（ａ）に示されるように、コンデンサ１７には前方からカバー１７ａが取り付けられており、このカバー１７ａは一対のブラケット１７ｄにより支持されている。カバー１７ａの前面１７ｂには、凝縮ファン１８の載置手段である２個の爪３１が左右方向に互いに所定間隔を隔てて設けられている。この爪３１は上向きに形成されており、押さえ部３１ａ、載置部３１ｂ及び固定部３１ｃからなる。上部の押さえ部３１ａ及び載置部３１ｂは側方からみてＬ字状に形成されており、固定部３１ｃはスポット溶接によりカバー１７ａに固着されている。また、押さえ部３１ａは凝縮ファン１８が前後方向に動くのを防止するのに十分な大きさを有すると共に、載置部３１ｂは凝縮ファン１８の一部を構成している後部の枠部材１８ａの肉厚ｔよりもわずかに大きい前後方向の延長距離ｓを有している。カバー１７ａの上部には２つのネジ穴１７ｃが設けられており、これら２つのネジ穴１７ｃはコンプレッサよりも高い位置に配置されている。また、凝縮ファン１８の上部には２つの取り付け穴１８ｂが設けられている。凝縮ファン１８は、これら取り付け穴１８ｂ及びネジ穴１７ｃを貫通する固定手段としてのネジ３２により、カバー１７ａに固定されるようになっている。また、図３（ｂ）に示されるように、コンデンサ１７のカバー１７ａの爪３１は凝縮ファン１８後部の枠部材１８ａの形状に合った形状となっており、この爪３１に後部の枠部材１８ａの下部をセットすると、カバー１７ａのネジ穴１７ｃと凝縮ファン１８の取り付け穴１８ｂとがちょうど揃うような構成になっている。
【０００８】
凝縮ファン１８をコンデンサ１７のカバー１７ａに取り付ける際には、まず凝縮ファン１８の枠部材１８ａの下部をカバー１７ａの爪３１に係合し、次に爪３１によりコンデンサ１７上に支持されている凝縮ファン１８の前方から、ネジ３２を取り付け穴１８ｂに貫通させてネジ穴１７ｃに螺着させ、これにより熱交換器用ファンである凝縮ファン１８を被取付部であるカバー１７ａに取り付ける。また、凝縮ファン１８をカバー１７ａから取り外す場合は、ネジ３２を外して、凝縮ファン１８の後部の枠部材１８ａをカバー１７ａの爪３１から外す。このように、最終的には比較的少ない数のネジ３２で凝縮ファン１８はカバー１７ａに着脱可能に固定され、これに加えて、凝縮ファン１８はネジ固定されていない状態でも載置手段である爪３１によりカバー１７ａ上に支持されているため、凝縮ファン１８を着脱する作業が容易になっている。また、固定手段であるネジ３２は、コンプレッサよりも上方の位置に配置されていることから、コンプレッサが邪魔になることなく、作業者は簡単にネジ３２にアクセスすることができる。また、カバー１７ａの爪３１は凝縮ファン１８の後部の枠部材１８ａの形状に合った形状となっているため、爪３１にこの枠部材１８ａの下部をセットすると、コンデンサ１７のネジ穴１７ｃと凝縮ファン１８の取り付け穴１８ｂとが自動的に揃い、これにより凝縮ファン１８をカバー１７ａへ取り付ける際の位置決めを簡単に行うことができる。さらに、凝縮ファン１８は前述のようにコンデンサ１７及びコンプレッサに挟まれるように配置されているが、コンデンサ１７のカバー１７ａに爪３１が上向きに形成されていることから、凝縮ファン１８をコンプレッサとコンデンサ１７との間で上下方向に出し入れしてこの爪３１に着脱することができる。その結果、後述するようにコンプレッサ、凝縮ファン１８及びコンデンサ１７を一列に配置し、機械室のスペースを低減させる一方、凝縮ファン１８のメンテナンス性には決して良好ではない配置態様を採用しながらも、凝縮ファン１８の着脱の際に、わざわざコンプレッサ又はコンデンサ１７を取り外す必要もなく、凝縮ファン１８をより容易に着脱することができる。以上のことから、凝縮ファン１８をコンデンサ１７のカバー１７ａへ容易に着脱でき、これによりメンテナンス作業及び組み立て作業も容易に行うことができるようになった。
【０００９】
また、図１に示すように、機械室１３の右側面１３ｃに設けられた排気口２０は、この側面１３ｃの最外側部１３ｄよりも機械室１３の内側に位置していることから、仮に冷蔵ショーケース１１が右側面側を壁などに密着させた状態で設置されても、この壁と排気口２０との間に隙間ができるため、排気を十分に行うことが可能となり、排気不良で冷却効果が低下することを防止することができる。また、図２に示すように、コンプレッサ１６、凝縮ファン１８及びコンデンサ１７を機械室１３の前後方向に配置すると共に、コンデンサ１７及び凝縮ファン１８の幅をコンプレッサ１６の幅と同程度又はそれ以下としたことから、機械室１３の左右幅はコンプレッサ１６を１個収められる幅で十分となり、その分だけ、展示スペース１２の容積を増大させたり、あるいは、冷蔵ショーケース１１全体の大きさをコンパクトにすることが可能となった。また、従来の冷蔵ショーケースのなかには、排気される暖かい空気の一部を展示スペースの下方を通してこの展示スペースの左側面から排出するタイプのものもあり、このタイプの冷蔵ショーケースでは展示スペース内が暖かい空気の影響を受けて冷凍効率が下がる虞があったが、本実施の形態では、機械室１３内の空気を右側面１３ｃの排気口２０から排気するようにしたので、展示スペース１２内が暖かい空気の影響を受けて冷凍効率が下がる虞もなく、省エネの冷蔵ショーケース１１となった。
【００１０】
また、上記の実施の形態では、コンプレッサ、凝縮ファン及びコンデンサが前後方向に並べられている構成において、上向きの爪を設けて凝縮ファンを上下方向に出し入れする態様として説明してきたが、本発明は、これに限定されるものではなく、以下のように改変して実施することができる。例えば、コンプレッサ、凝縮ファン及びコンデンサを前後方向に並べ、横向きの爪を設けて凝縮ファンを左右方向に出し入れする態様でもよく、あるいは、コンプレッサ、凝縮ファン及びコンデンサを左右方向に並べ、凝縮ファンを上下方向又は前後方向に出し入れする態様でもよい。さらに、コンプレッサ、凝縮ファン及びコンデンサを上下方向に並べ、横向きの爪を設けて凝縮ファンを前後又は左右方向に出し入れする態様でもよい。
さらに、上記の実施の形態は、本発明の熱交換装置を冷蔵ショーケースに適用した例として説明したが、本発明はこれに限定されず冷蔵庫や冷凍庫等の他の冷却装置に広く適用することが可能である。
【００１１】
【発明の効果】
以上説明したように、本発明の熱交換装置によれば、コンプレッサに隣接して配置されると共にコンプレッサに対向する面にカバーが取り付けられた熱交換器と、熱交換器のカバーとコンプレッサとの間に上下方向に出し入れ可能に配置される熱交換器用ファンと、熱交換器のカバーに設けられると共に上向きに形成され、熱交換器のカバーとコンプレッサとの間に挿入された熱交換器用ファンに係合することによりこの熱交換器用ファンを熱交換器のカバー上に支持する爪と、爪により支持された熱交換器用ファンを熱交換器のカバーに着脱可能に固定するネジとを備え、熱交換器用ファン及び熱交換器のカバーはそれぞれネジにより貫通される取り付け穴及びネジ穴を有し、爪は、熱交換器用ファンをこの爪に係合すると熱交換器用ファンの取り付け穴と熱交換器のカバーのネジ穴とが位置決めされるように熱交換器用ファンの形状に合った形状を有するので、熱交換器用ファンをコンプレッサと熱交換器との間で上下方向に出し入れしてこの爪に着脱することができるとｓ共に、熱交換器用ファンを爪に係合するだけで位置決めを簡単に行うことができ、熱交換器用ファンが爪により支持されながら固定されるため、熱交換器用ファンの着脱作業を容易に行なうことが可能になった。
また、ネジは、コンプレッサよりも上方の位置で熱交換器用ファンの取り付け穴及び熱交換器のカバーのネジ穴を貫通して熱交換器用ファンの熱交換器のカバーに対する固定を行うので、作業者は簡単にこのネジにアクセスすることができるようになった。
【図面の簡単な説明】
【図１】  この発明の実施の形態に係る冷蔵ショーケースを示す斜視図である。
【図２】  この発明の実施の形態に係る冷蔵ショーケースの内部構造を模式的に示した図であり、（ａ）はショーケースを前方から視た図、（ｂ）はショーケースを上方から視た図、（ｃ）はショーケースを側方から視た図である。
【図３】  （ａ）はコンデンサ、カバー及び凝縮ファンの組立関係を示す図、（ｂ）は（ａ）のＩＩＩ−ＩＩＩ線に沿う断面図である。
【図４】  従来の冷蔵ショーケースを示す斜視図である。
【符号の説明】
１１  冷蔵ショーケース、１２  展示スペース、１３  機械室、１６  コンプレッサ、１７  コンデンサ、１８  凝縮ファン、２０  排気口、２１  吸気口、３１  爪。
【図１】
0003896268.tif 000002
【図２】
0003896268.tif 000003
【図３】
0003896268.tif 000004
【図４】
0003896268.tif 000005